(57)【要約】【課題】組立状態にする際の作業性を向上させる。【解決手段】本発明の箱体１０は、ベース壁１２の対向する１対の外縁部から１対の第１支持突部１３が突出して、それらに１対の第１側壁２０が回動可能に支持されると共に、ベース壁１２の残りの１対の外縁部から１対の第２支持突部１４が突出して、それらに１対の第２側壁３０が回動可能に支持された構造をなしている。そして、第１支持突部１３の内面には、内面凹部１９が形成され、第１側壁２０の先端部には、先端凹部４０が形成されている。【選択図】図８
2019156420.tif 000002
【特許請求の範囲】
【請求項１】
四角形のベース壁の対向する１対の外縁部から１対の第１支持突部が突出して、それらに１対の第１側壁が回動可能に支持されると共に、前記ベース壁の残りの１対の外縁部から１対の第２支持突部が突出して、それらに１対の第２側壁が回動可能に支持され、
前記１対の第１側壁及び前記１対の第２側壁が起立する組立状態と、前記１対の第１側壁が前記１対の第１支持突部の間に折り畳まれてから前記１対の第２側壁が前記１対の第２支持突部の間に折り畳まれる折畳状態とに変更可能な箱体であって、
前記第１支持突部又は前記第２支持突部の少なくとも一方の支持突部の内面に形成されて、前記折畳状態で前記第１側壁又は前記第２側壁の先端部との間に指を挿入可能な隙間を形成する内面凹部を備える箱体。
【請求項２】
前記第１側壁又は前記第２側壁の少なくとも一方の側壁の先端部に形成されて、前記折畳状態で前記第１支持突部又は前記第２支持突部の内面との間に指を挿入可能な隙間を形成する先端凹部を備える請求項１に記載の箱体。
【請求項３】
前記先端凹部は、前記第１側壁又は前記第２側壁を厚さ方向に貫通し、前記先端凹部の底面から突出する指掛け突部を備える請求項２に記載の箱体。
【請求項４】
前記第１側壁又は前記第２側壁の内面から突出し、前記内面凹部の上方に位置して水平方向の延びる横リブが備えられ、前記横リブには、前記内面凹部の真上位置に凹部が形成されている請求項１乃至３の何れか１の請求項に記載の箱体。
【請求項５】
前記第１側壁又は前記第２側壁の少なくとも一方の側壁の先端部の内面には、先端から先端寄り位置に向かって外面から離れるように傾斜するガイド斜面が形成されている請求項１乃至４の何れか１の請求項に記載の箱体。
【請求項６】
前記組立状態で前記１対の第１側壁及び前記１対の第２側壁の先端部によって形成される開口縁部の外側に嵌合して、前記開口縁部に囲まれる開口を閉塞する蓋体を有する請求項１乃至５の何れか１の請求項に記載の箱体。
【発明の詳細な説明】
【技術分野】
【０００１】
本発明は、折り畳み可能な箱体に関する。
【背景技術】
【０００２】
従来、この種の箱体として、底面の外縁部から突出する１対の第１支持突部と１対の第２支持突部とに、１対の第１側壁と１対の第２側壁とが回動可能に支持されているものが知られている。その箱体は、１対の第１側壁が１対の第１支持突部の間に折り畳まれてから、１対の第２側壁が１対の第２支持突部の間に折り畳まれて折畳状態になり、その逆の操作を行って組立状態になる（例えば、特許文献１参照）。
【先行技術文献】
【特許文献】
【０００３】
【特許文献１】登録実用新案第３１６７１２９号公報（図４，図５）
【発明の概要】
【発明が解決しようとする課題】
【０００４】
上記した従来の箱体に対し、組立状態にする際の作業性の向上が求められている。
【課題を解決するための手段】
【０００５】
上記課題を解決するための請求項１の発明は、四角形のベース壁の対向する１対の外縁部から１対の第１支持突部が突出して、それらに１対の第１側壁が回動可能に支持されると共に、前記ベース壁の残りの１対の外縁部から１対の第２支持突部が突出して、それらに１対の第２側壁が回動可能に支持され、前記１対の第１側壁及び前記１対の第２側壁が起立する組立状態と、前記１対の第１側壁が前記１対の第１支持突部の間に折り畳まれてから前記１対の第２側壁が前記１対の第２支持突部の間に折り畳まれる折畳状態とに変更可能な箱体であって、前記第１支持突部又は前記第２支持突部の少なくとも一方の支持突部の内面に形成されて、前記折畳状態で前記第１側壁又は前記第２側壁の先端部との間に指を挿入可能な隙間を形成する内面凹部を備える箱体である。
【０００６】
請求項２の発明は、前記第１側壁又は前記第２側壁の少なくとも一方の側壁の先端部に形成されて、前記折畳状態で前記第１支持突部又は前記第２支持突部の内面との間に指を挿入可能な隙間を形成する先端凹部を備える請求項１に記載の箱体である。
【０００７】
請求項３の発明は、前記先端凹部は、前記第１側壁又は前記第２側壁を厚さ方向に貫通し、前記先端凹部の底面から突出する指掛け突部を備える請求項２に記載の箱体である。
【０００８】
請求項４の発明は、前記第１側壁又は前記第２側壁の内面から突出し、前記内面凹部の上方に位置して水平方向の延びる横リブが備えられ、前記横リブには、前記内面凹部の真上位置に凹部が形成されている請求項１乃至３の何れか１の請求項に記載の箱体である。
【０００９】
請求項５の発明は、前記第１側壁又は前記第２側壁の少なくとも一方の側壁の先端部の内面には、先端から先端寄り位置に向かって外面から離れるように傾斜するガイド斜面が形成されている請求項１乃至４の何れか１の請求項に記載の箱体である。
【００１０】
請求項６の発明は、前記組立状態で前記１対の第１側壁及び前記１対の第２側壁の先端部によって形成される開口縁部の外側に嵌合して、前記開口縁部に囲まれる開口を閉塞する蓋体を有する請求項１乃至５の何れか１の請求項に記載の箱体である。
【発明の効果】
【００１１】
請求項１の箱体では、第１又は第２の支持突部の内面に形成された内面凹部により、折畳状態の第１又は第２の側壁の先端部と支持突部の内面との間に、指を挿入可能な隙間を従来より広くすることができ、箱体を組立状態にする際の作業性が向上する。
【００１２】
これに加え、請求項２の箱体では、第１又は第２の側壁の先端部に形成された先端凹部により、側壁の先端部と支持突部の内面との間の隙間をより一層広くすることができ、箱体を組立状態にする際の作業性がより一層向上する。
【００１３】
さらには、請求項３の箱体では、先端凹部の底面から突出する指掛け突部により先端凹部に指が掛かり易くなり作業性が向上する。
【００１４】
また、請求項４の箱体では、第１又は第２の側壁の内面から突出する横リブのうち内面凹部の真上位置に凹部が形成されているので、組立作業の過程で対向する１対の側壁の一方を起こしてから他方の側壁と支持突部との間に指を挿入する際に、指先と横リブとの干渉が少なくなり作業性が向上する。
【００１５】
請求項５の箱体では、第１又は第２の側壁の先端部に形成されるガイド斜面に沿ってスムーズに側壁の下側に指を滑り込ませることができ、箱体を組立状態にする際の作業性が向上する。
【００１６】
請求項６の箱体は、組立状態にして蓋体を装着すると、第１及び第２の側壁の先端部が蓋体の内側に嵌合されて隠され、美観が向上する。
【図面の簡単な説明】
【００１７】
【図１】発明の一実施形態の箱体の斜視図
【図２】蓋体が外された箱本体の斜視図
【図３】ベース部の上面側の斜視図
【図４】ベース部の下面側の斜視図
【図５】ベース部のコーナー部の拡大斜視図
【図６】第１側壁の内面側の斜視図
【図７】第１側壁の外面側の拡大斜視図
【図８】一方の第１側壁が折り畳まれた状態の箱本体の斜視図
【図９】第２側壁の内面側の拡大斜視図
【図１０】両第１側壁が折り畳まれた状態の斜視図
【図１１】蓋体の下面側の斜視図
【図１２】組立状態の箱体の一部破断の斜視図
【図１３】組立状態の箱体の一部破断の平断面図
【図１４】折畳状態の箱本体の斜視図
【図１５】折畳状態の箱体の斜視図
【図１６】折畳状態の箱本体の側断面図
【図１７】一方の第１側壁が折り畳まれた状態の箱本体の斜視図
【図１８】複数の箱体を組み合わせた展示台の斜視図
【発明を実施するための形態】
【００１８】
以下、発明の一実施形態を図１〜図１８に基づいて説明する。図１に示すように、本実施形態の箱体１０は、例えば平面形状が正方形の直方体状をなし、箱本体１０Ｈと蓋体５０とに分離可能になっている。
【００１９】
図２に示すように、箱本体１０Ｈは、ベース部１１に１対の第１側壁２０と１対の第２側壁３０とを回動可能に連結してなる。図３に示すように、ベース部１１は、正方形のベース壁１２の対向する１対の外縁部から１対の第１支持突部１３が起立しかつ残りの１対の外縁部から１対の第２支持突部１４が起立した構造をなしている。また、第１支持突部１３は、両端部を除く全体が第２支持突部１４より低く、両端部は第２支持突部１４と同じ高さになっている。換言すれば、第２支持突部１４の両端部は、第１支持突部１３側に直角曲げされている。
【００２０】
図４に示すように、第１及び第２の支持突部１３，１４は、下面開放の中空構造をなしている。そして、第１及び第２の支持突部１３，１４の内面側を構成する内面壁１３Ａ，１４Ａはベース壁１２から立ち上がり、外面側を構成する外面壁１３Ｂ，１４Ｂは、ベース壁１２より下方に突出している。また、ベース壁１２の下面には、その下面を縦横に４等分する位置に下面リブ１６が設けられて格子状になっている。そして、下面リブ１６の下面と外面壁１３Ｂ，１４Ｂの下面とが面一になっている。
【００２１】
各下面リブ１６の端部からは、第１及び第２の支持突部１３，１４の内側上面まで内部リブ１６Ａが延びている。また、内面壁１３Ａ，１４Ａ同士の角部と、外面壁１３Ｂ，１４Ｂ同士の角部との間はコーナーリブ１６Ｂにて連絡されている。ベース壁１２の縦横の中央の下面リブ１６には、それら下面リブ１６の両端部を角筒状に形成してなる角筒部１６Ｃが備えられている。
【００２２】
図３に示すように、第１及び第２の各支持突部１３，１４の横方向の両端寄り位置には、ヒンジ凹部１７が備えられている。図５に示すように、ヒンジ凹部１７は、第１及び第２の各支持突部１３，１４の内側面と上面とに開口する内側面開口１７Ａと上面開口１７Ｂとを有し、内側面開口１７Ａより内部及び上面開口１７Ｂが広くなっている。また、ヒンジ凹部１７内には、内側面開口１７Ａの両側上部に、１対の係止突起１７Ｃが備えられている。
【００２３】
第１支持突部１３には、上面壁１３Ｃの内縁部分が面取りされて傾斜面１３Ｔが形成されている。第２支持突部１４の上面壁１４Ｃからは、外縁部を除く全体から段付き状に上面突部１５が突出している。その上面突部１５は、ヒンジ凹部１７と、長手方向の中央に備えた上面溝１５Ａ（図３参照）とによって分断されている。また、上面突部１５の両端部には、第１支持突部１３側に向かって下る傾斜面１４Ｔが形成されている。
【００２４】
図５に示すように、第１支持突部１３のうちヒンジ凹部１７，１７の間には、内面凹部１９が形成されている。内面凹部１９は、第１支持突部１３の内面壁１３Ａにおける両ヒンジ凹部１７寄りの２位置の間を、外面壁１３Ｂ側に円弧状に膨出させてなる。なお、第１支持突部１３内では、内面壁１３Ａのうち内面凹部１９によって最も外面壁１３Ｂに接近した部分とその外面壁１３Ｂとの間が前述の内部リブ１６Ａにて連絡されている（図４参照）。なお、内面凹部１９のうち第１支持突部１３の上面壁１３Ｃにおける縁部には、前述の傾斜面１３Ｔと略同一の幅のテーパー面１９Ｔが形成されている。なお、テーパー面１９Ｔは、Ｒ面取りされて上下方向で丸みを帯びた斜面であってもよいし、本実施形態のようにＣ面取りされて上下方向で丸みを帯びていない斜面であってもよい。
【００２５】
図６に示すように、第１側壁２０は、例えば、僅かに縦長の四角形をなし、その内面から複数の横リブ２１と複数の縦リブ２２とが突出している。また、第１側壁２０の外縁部に位置する横リブ２１と縦リブ２２とにより、第１側壁２０の上面、下面及び両側面が構成されている。
【００２６】
具体的には、横リブ２１及び縦リブ２２は、４つずつ備えられて、それらのうち２つずつが第１側壁２０の外縁部に配置され、残りの２つがそれぞれ第１側壁２０の外縁寄り位置に配置されている。また、第１側壁２０の内面側のうち横リブ２１及び縦リブ２２の立ち上がり部分の近傍が段付き状に厚肉化されて帯状肉厚部２０Ａになっている。さらに、第１側壁２０の上下方向の略中央には、横リブ２１を有さずに、帯状肉厚部２０Ａのみが形成されている。そして、第１側壁２０の外面のうち帯状肉厚部２０Ａの真裏となる位置に、図２に示した装飾用の外面溝２０Ｍが形成されている。なお、第１側壁２０のうち下端寄り位置で水平に延びる外面溝２０Ｍは、他の外面溝２０Ｍに比べて幅広になっている。
【００２７】
図６に示すように、第１側壁２０の下面の両端寄り位置からは、１対のヒンジ突部１８が垂下し、それらヒンジ突部１８から両側方に係止突起１８Ｃが突出している。そして、係止突起１８Ｃが第１支持突部１３のヒンジ凹部１７内の係止突起１７Ｃの下側に回転可能に受容されている。これにより、第１側壁２０が第１支持突部１３上で起立した起立姿勢（図２参照）と、ベース壁１２上に寝かされた折畳姿勢（図１０参照）との間で回動する。また、第１側壁２０が起立姿勢になると、前述した幅広の外面溝２０Ｍは、第２支持突部１４の上面と略同じ高さに配置される。
【００２８】
図８に示すように、第１側壁２０の下側の２つの横リブ２１には、凹部４３が形成されている。それら凹部４３は、横リブ２１のうち第１側壁２０の起立姿勢で前述の内面凹部１９の真上位置となる部分を、内面凹部１９に対応した円弧状に切除してなる。
【００２９】
図６に示すように、第１側壁２０の側面においては、起立姿勢で第２支持突部１４より上方に位置する部分の内縁部から側面突壁２３が側方に張り出している。図７に示すように、側面突壁２３の先端縁からは、第１側壁２０の外側に向かって突条２４が突出し、その突条２４から複数の係合片２４Ａが延設されている。また、側面突壁２３の上端寄り位置には、第１側壁２０の内側と側方とに開口するフード形状の係合凹部２４Ｂが形成されている。
【００３０】
図８に示すように、第２側壁３０は、例えば僅かに横長の四角形をなしている。そして、第２側壁３０の下面に備えた第１側壁２０と同様の１対のヒンジ突部１８，１８が、第２支持突部１４のヒンジ凹部１７に回転可能に係合している。これにより、第２側壁３０が第２支持突部１４上で起立した起立姿勢（図８参照）と、ベース壁１２上に寝かされた折畳姿勢（図１４参照）との間で回動する。
【００３１】
第２側壁３０の内面からは第１側壁２０と同様に複数の横リブ２１と複数の縦リブ２２とが突出している。そして、上端と下端の横リブ２１によって第２側壁３０の上面及び下面が形成されている。また、第２側壁３０には、両側部が第１側壁２０側に直角曲げされて横リブ２１及び縦リブ２２より第１側壁２０側に張り出す１対の側部突壁３１が備えられ、それら側部突壁３１によって第２側壁３０の両側面が構成されている。
【００３２】
また、図９に示すように、第２側壁３０の横方向の両端部には、上下方向に延びかつ横リブ２１を挟んで第２側壁３０の内面と対向するサイド補強壁３５が備えられている。そのサイド補強壁３５の一方の側部は側部突壁３１の内面と直交し、サイド補強壁３５の他方の側部から第１側壁２０から離れる側へとコーナー壁３４が屈曲している。
【００３３】
第２側壁３０の両側部における上下方向の複数位置には、側部突壁３１とサイド補強壁３５とに跨がってボックス部３２が形成されている。それらボックス部３２は、第２側壁３０の横方向の中央に向かう側が開口していて、図２に示すように、第１側壁２０と第２側壁３０とを起立姿勢にしたときに、第１側壁２０の係合片２４Ａ（図７参照）がボックス部３２内に係合する。
【００３４】
サイド補強壁３５の上端寄り位置には、係止突起３３が形成されている。係止突起３３は、平面形状が台形状をなしている。そして、第１側壁２０と第２側壁３０とを起立姿勢にしたときに、第１側壁２０の係合凹部２４Ｂと第２側壁３０の係止突起３３とが係合する。
【００３５】
図１に示すように、第２側壁３０の上部の横方向中央には、持ち手部３６が形成されている。持ち手部３６は、第２側壁３０の一部を横長の袋状に内側に膨出させてなる。また、図９に示すように、持ち手部３６の裏側の膨出部３６Ｂと第２側壁３０の上面を構成する横リブ２１との間は、複数の連絡補強リブ３６Ｌにて連絡されている。
【００３６】
図２に示すように、第１及び第２の側壁２０，３０（以下、第１側壁２０と第２側壁３０とを区別しない場合には、単に「側壁２０，３０」という）の上面からは蓋嵌合突部２５が突出している。図７に示すように、蓋嵌合突部２５は、外面側が開口するフード形状をなしている。具体的には、蓋嵌合突部２５は、側壁２０，３０の上面の内縁部から起立する上面突壁２５Ｂと、その上面突壁２５Ｂの上縁部及び側縁部から側壁２０，３０の上面の外縁寄り位置まで張り出す上縁リブ２５Ｃ及び側縁リブ２５Ｄとからなる。また、蓋嵌合突部２５のうち側壁２０，３０の外面溝２０Ｍの延長位置は分断されて上面溝２５Ａになっている。
【００３７】
図７に示すように、蓋嵌合突部２５のうち第１側壁２０の横方向の端部に位置する部分には、コーナー補強部２８が形成されている。そのコーナー補強部２８は、前述の側面突壁２３から突条２４を蓋嵌合突部２５の上面と面一となる位置まで延ばし、その突条２４と蓋嵌合突部２５の側縁リブ２５Ｄの先端縁とを図１３に示すように傾斜壁２８Ａで連絡し、さらに、蓋嵌合突部２５の上縁リブ２５Ｃを傾斜壁２８Ａまで延長してなる。
【００３８】
図９に示すように、蓋嵌合突部２５のうち第２側壁３０の横方向の端部に位置する部分にも、コーナー補強部２９が形成されている。そのコーナー補強部２９は、図１３に示すように、蓋嵌合突部２５の側縁リブ２５Ｄの先端縁から第２側壁３０の側方に張り出すコーナー壁２９Ａを側部突壁３１（図９参照）に沿うように直角曲げすると共に、図９に示すように蓋嵌合突部２５の上縁リブ２５Ｃをコーナー壁２９Ａまで延長してなる。
【００３９】
図２に示すように、第１側壁２０の横方向の中央においては、蓋嵌合突部２５を切除して先端凹部４０が設けられている。図８に示すように、先端凹部４０は、例えば、内面凹部１９及び横リブ２１の凹部４３より僅かに小さい横幅をなしている。また、先端凹部４０側を向いた蓋嵌合突部２５の側面は傾斜している。さらに、第１側壁２０の上面のうち先端凹部４０が設けられた部分には、指掛け突部２６が形成されている。図７に示すように、指掛け突部２６は、断面四角形の突条形状をなし、第１側壁２０の上面における外縁寄り位置において第１側壁２０の横方向に延びている。また、指掛け突部２６の外面は、蓋嵌合突部２５の外面と面一になっている。さらに、指掛け突部２６は、第１側壁２０の横方向の中央に形成された上面溝２５Ａにて分断されている。
【００４０】
図９に示すように、第２側壁３０の横方向の中央においては、蓋嵌合突部２５の内面に指先ガイド部４１が形成されている。指先ガイド部４１は、第２側壁３０の横方向の中央において、蓋嵌合突部２５の上面突壁２５Ｂを外側に傾斜させて形成されるガイド斜面４１Ａと、ガイド斜面４１Ａの横方向の両端部を内側に傾斜させてなる１対のサブガイド斜面４１Ｂとを備えている。また、指先ガイド部４１は、第２側壁３０の横方向の中央に形成された上面溝２５Ａにて分断されている。なお、ガイド斜面４１Ａ及びサブガイド斜面４１Ｂは、Ｒ面取りされて上下方向で丸みを帯びた斜面であってもよいし、本実施形態のようにＣ面取りされて上下方向で丸みを帯びていない斜面であってもよい。
【００４１】
図１１に示すように、蓋体５０は、正方形の天板５１の下面の外縁部から蓋側壁５２が垂下すると共に、天板５１の下面のうち蓋側壁５２の内側部分から複数の下面リブ５３と複数の角筒５４とが垂下した構造をなしている。複数の下面リブ５３は、天板５１の下面を縦横にそれぞれ４等分する位置に配置されている。また、蓋体５０の縦横の各中央の下面リブ５３の下面は、長手方向の両端部と中間部が蓋側壁５２の下面と面一で、それら以外の部分の下面は蓋側壁５２の下面より上方に位置している。また、蓋体５０の中央以外の下面リブ５３の下面は、長手方向の両端部のみが蓋側壁５２の下面と面一で、それら以外の部分の下面は蓋側壁５２の下面より上方に位置している。
【００４２】
蓋体５０の縦横の各中央の下面リブ５３の両端部には、厚肉部５３Ａが設けられ、それら厚肉部５３Ａより中央寄り位置にはリブ直交部５３Ｂが設けられている。それら厚肉部５３Ａ及びリブ直交部５３Ｂの下面は、共に蓋側壁５２の下面と面一になっている。具体的には、厚肉部５３Ａは、下面リブ５３を部分的に厚肉に形成してなり、リブ直交部５３Ｂは、下面リブ５３から両側方に突条５３Ｃを突出させてなる。また、両突条５３Ｃの先端間の間隔は、厚肉部５３Ａの厚さより大きく、ベース部１１の下面リブ１６の一部である角筒部１６Ｃの幅と略同一になっている。
【００４３】
角筒５４は、天板５１のコーナー寄り位置に配置され、蓋側壁５２のコーナー部に角筒５４のコーナー部が対向している。また、角筒５４のうち蓋側壁５２に対向する２面には、上下方向に延びる突条５４Ａが形成されている。なお、角筒５４の下面は、蓋側壁５２の下面より上方に位置している。また、天板５１の裏面のうち下面リブ５３及び角筒５４の立ち上がり部分の近傍が段付き状に厚肉化されて帯状肉厚部５０Ａになっている。
【００４４】
図１に示すように、蓋体５０の上面には、下面リブ５３の真裏となる位置に上面溝５０Ｍが形成され、その上面溝５０Ｍの底面と蓋体５０の上面の外縁部とが面一になっている。また、角筒５４の真裏となる位置には、矩形溝５４Ｍが形成されている。なお、蓋体５０の上面溝５０Ｍは、ベース部１１及び側壁２０，３０の前述の上面溝１５Ａ，２５Ａより幅広になっている。また、上面溝１５Ａ，２５Ａの溝幅は略同一になっている。
【００４５】
本実施形態の箱体１０の構成に関する説明は以上である。次ぎに、この箱体１０の作用効果について説明する。図１に示した組立状態の箱体１０を折畳状態にするには、箱本体１０Ｈから蓋体５０を外し、図１０に示すように、１対の第１側壁２０をベース壁１２上に重ねるように折り畳む。
【００４６】
次いで、図１４に示すように、１対の第２側壁３０を第１側壁２０の上に重ねるように折り畳む。そして、図１５に示すように１対の第２支持突部１４の上面に蓋体５０を載置する。すると、蓋体５０の蓋側壁５２の内側に第２支持突部１４の上面突部１５（図３参照）が嵌合しかつ、上面突部１５の上面溝１５Ａ（図３参照）に蓋体５０の下面リブ５３の厚肉部５３Ａが嵌合する。以上により、箱体１０が折畳状態になる。
【００４７】
折畳状態の箱体１０を組立状態にするには、上記操作とは逆の操作を行う。その際に、第２側壁３０を起こすために、第２支持突部１４と第２側壁３０の先端部に片手の指先を掛ける操作が行われ得る。これに対し、本実施形態の箱体１０では、図１６に示すように、第２側壁３０の先端部に指先ガイド部４１を備えたことで、第２側壁３０の先端部とその下方の第２側壁３０又は第１側壁２０との間に隙間が形成されているので、指先を第２側壁３０の先端部の下方に容易に潜り込ませて第２側壁３０を簡単に起こすことができる。しかも、指先ガイド部４１にはガイド斜面４１Ａが形成されているので、そのガイド斜面４１Ａに沿ってスムーズに指先を潜り込ませることができる。
【００４８】
次いで、第１側壁２０を起こす。ここで、第２側壁３０に関しては、上記した操作以外に第２側壁３０を両側方から両手で挟んで起こすか、持ち手部３６に指先を挿入して起こす操作も考えられる。しかしながら、第１側壁２０は、そのような操作で起こすことができない。しかも、第１側壁２０の先端部と第１支持突部１３との間は、第２側壁３０の先端部と第２支持突部１４との間より狭くなっている。
【００４９】
これらに対し、図１７に示すように、本実施形態の箱体１０では、第１側壁２０の先端部に先端凹部４０が設けられると共に第１支持突部１３の内面に内面凹部１９が設けられたことで、第１側壁２０の先端部と第１支持突部１３と間に広い隙間が確保されている。これにより、指先を第１側壁２０の先端部と第１支持突部１３との間に差し込んで、第１側壁２０を起こす作業を容易に行うことができる。しかも、第１側壁２０のうち先端凹部４０が形成されている部分には、指掛け突部２６が備えられているので、第１側壁２０の先端部に指先が掛け易い。
【００５０】
また、第１側壁２０の横リブ２１には、内面凹部１９に対応した凹部４３が形成されているので、図８及び図１７に示すように、一方の第１側壁２０を起立姿勢にした状態で、他方の第１側壁２０を起こす際には、起立している第１側壁２０の横リブ２１に指先が突き当るような事態を防ぎ易い。
【００５１】
なお、第１側壁２０を起立姿勢まで回動する際には、既に起立姿勢になっている第２側壁３０の内面に第１側壁２０の側部が隣接して移動する。このとき、第１側壁２０の側部が第２側壁３０の指先ガイド部４１に入り込んだとしても、指先ガイド部４１の横方向の両端部にはサブガイド斜面４１Ｂが備えられているので、そのサブガイド斜面４１Ｂの案内により第１側壁２０の側部をスムーズに指先ガイド部４１から抜き出せることができる。
【００５２】
第１及び第２の側壁２０，３０が起立姿勢になったら蓋体５０を装着する。すると、蓋体５０の天板５１が、箱本体１０Ｈの開口縁部を構成する蓋嵌合突部２５の外側に嵌合され、先端凹部４０及び指先ガイド部４１が隠される。これにより、箱体１０の美観が高くなる。なお、図１２及び図１３に示すように、蓋体５０は、厚肉部５３Ａが上面溝２５Ａに収まることと、角筒５４の突条５４Ａと蓋側壁５２との間に蓋嵌合突部２５が挟まることで、箱本体１０Ｈに対して位置決めされる。
【００５３】
このように本実施形態の箱体１０は、高い操作性を以て箱体１０を容易に折畳状態、組立状態へと変更することできる。また、図１８に示すように、箱体１０は、１つの第１側壁２０のみを折り畳み、残りの起立した第１側壁２０及び第２側壁３０に蓋体５０を装着して一側面折畳状態にすることもできる。そして、図１８に示すように、組立状態、折畳状態、一側面折畳状態の箱体１０を複数組み合わせて、展示台又は展示ケースとして使用することができる。
【００５４】
なお、蓋体５０の上に箱体１０を載置すると角筒部１６Ｃを含むベース部１１の下面リブ１６が蓋体５０の上面溝５０Ｍに収まる。また、複数の蓋体５０を段積みした際には、リブ直交部５３Ｂを含む上段側の蓋体５０の下面リブ５３が下段側の蓋体５０の上面溝５０Ｍに収まる。そして、それら角筒部１６Ｃ及びリブ直交部５３Ｂによって、蓋体５０上に載置された箱体１０又は蓋体５０が位置決めされる。
【００５５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５６】
（１）前記実施形態の箱体１０は、展示用台又は展示用ケースとして使用されるものであったが、商品の搬送又は収納用の容器として使用されるものに、上記した内面凹部１９や先端凹部４０、指先ガイド部４１等を設けてもよい。
【００５７】
（２）前記実施形態の箱体１０は、蓋体５０を有していたが、蓋体を有さず、上記した箱本体１０Ｈそのもので箱体が構成されていてもよい。
【００５８】
（３）前記実施形態の箱体１０は、平面形状が正方形であったが、長方形であってもよい。
【００５９】
（４）前記実施形態の箱体１０は、折畳状態にする際に先に折り畳まれる第１側壁２０に先端凹部４０が形成され、後に折り畳まれる第２側壁３０に指先ガイド部４１が形成されていたが、第１側壁２０に指先ガイド部４１を設ける一方、第２側壁３０に先端凹部４０を設けてよいし、第１側壁２０と第２側壁３０とに共に先端凹部４０か指先ガイド部４１を設けてもよし、さらには、第１側壁２０又は第２側壁３０の一方のみに、先端凹部４０又は指先ガイド部４１の一方のみを設けた構成としてもよい。
【００６０】
（５）また、第１側壁２０又は第２側壁３０に、先端凹部４０と指先ガイド部４１とを横並びにして設けてもよい。
【００６１】
（６）前記実施形態の箱体１０において、一方の第１側壁２０を折り畳まれた状態に保持する係止部を設け、箱体１０を上述の一側面折畳状態にしかつ上下逆さにして展示用ケースとして使用してもよい。
【符号の説明】
【００６２】
１０    箱体
１２    ベース壁
１３    第１支持突部
１４    第２支持突部
１９    内面凹部
２０    第１側壁
２６    指掛け突部
３０    第２側壁
４０    先端凹部
４１    指先ガイド部
４１Ａ    ガイド斜面
４３    凹部
５０    蓋体
【図１】
2019156420.tif 000003
【図２】
2019156420.tif 000004
【図３】
2019156420.tif 000005
【図４】
2019156420.tif 000006
【図５】
2019156420.tif 000007
【図６】
2019156420.tif 000008
【図７】
2019156420.tif 000009
【図８】
2019156420.tif 000010
【図９】
2019156420.tif 000011
【図１０】
2019156420.tif 000012
【図１１】
2019156420.tif 000013
【図１２】
2019156420.tif 000014
【図１３】
2019156420.tif 000015
【図１４】
2019156420.tif 000016
【図１５】
2019156420.tif 000017
【図１６】
2019156420.tif 000018
【図１７】
2019156420.tif 000019
【図１８】
2019156420.tif 000020